(57)【要約】【課題】基板ケースの不正開放の防止を充分に図れるようになる遊技機の提供。【解決手段】保護カバー部材83の保護側壁部83B, 83Cに凹部83D ,83Eを形成し、保護カバー部材83が背部に取り付けられた状態で、カシメ部材81をベース部52に取り付けると、凹部83D ,83Eが突起挿通スリット84B の両側に形成された鍔部84C に係止されるようにする。これにより、カシメ部材81の背面と対向するベース部52の側壁に、保護カバー部材83の背面に相当する孔が開口されても、凹部83D ,83Eが鍔部84C に係止され、保護カバー部材83を基板ケースから取り出すことができない。従って、カシメ部材81及びカシメ受部82を破壊するために、保護カバー部材83の背面に孔を開けても、カシメ部材81及びカシメ受部82を破壊することができず、基板ケースの不正開放の防止が充分に図れるようになる。【選択図】    図６
2012075880.tif 000002
【特許請求の範囲】
【請求項１】
遊技動作を制御する制御回路が形成されている制御基板と、この制御基板を内部に収納するために、少なくともベース部及び蓋部に分割された箱状に形成されている透明な合成樹脂製の基板ケースとを備えた遊技機であって、
前記ベース部及び前記蓋部のそれぞれの互いに対応する部分に設けられるとともに、前記ベース部及び前記蓋部を相互に連結するために互いに結合し合う合成樹脂製のカシメ部材及びカシメ受部と、前記カシメ部材を保護するために金属製の箱状に形成された保護カバー部材と、前記カシメ受部を保護するために金属製の略筒状に形成された保護プレートとを備え、
前記カシメ部材及び前記カシメ受部は、入れ子状に形成された一対の筒状の部位である筒状突起部及び筒状受部をそれぞれ有し、これらの筒状突起部及び筒状受部のそれぞれには互いに係止し合う爪部及び段部が設けられ、これらの爪部及び段部が係止し合うことで相互に結合されるものであり、
前記カシメ部材には、前記筒状突起部の底面よりも大きな長方形状に形成されるとともに、前記筒状突起部の基部が一体化される基部面を有する台座部が設けられ、
この台座部が有する前記基部面の両側縁には、前記筒状突起部の周面よりも当該筒状突起部の径方向外側へ張り出した肩部が設けられ、
前記ベース部には、前記カシメ部材の前記台座部を内部に収納可能な箱状に形成されたカシメ取付部が設けられ、
このカシメ取付部には、前記ベース部及び前記蓋部が形成する前記基板ケースの内部空間に臨む面に、前記カシメ部材の前記台座部が内部に挿通可能に形成された台座部挿通口が開口されるとともに、前記蓋部に対向する面に、前記台座部から前記蓋部に向かって突出した前記筒状突起部を前記台座部挿通口側から内部に挿通可能となった切り込み状の突起挿通スリットが開口され、
前記カシメ取付部には、前記突起挿通スリットの両側に位置する側壁に、前記カシメ部材の前記台座部に形成されている前記肩部を係止する鍔部が設けられ、
前記カシメ受部には、前記筒状受部の周囲に当該筒状受部を囲むように形成された筒状の保護壁部と、この保護壁部の底面を形成するとともに、前記筒状受部の底部が一体化された底板部とが設けられ、
前記保護カバー部材には、前記カシメ部材の前記台座部における前記基部面とは反対側となる基部底面を覆う保護底板部と、この保護底板部の側縁から立ち上がるとともに前記台座部の側面を覆う保護側壁部とが設けられ、
前記保護カバー部材に設けられている前記保護側壁部のうち、前記台座部の前記台座部挿通口への挿通方向における前後に位置する保護側壁部の少なくとも一方は、その先端が他の保護側壁部の先端よりも前記蓋部側へ突出するように形成された突出部と、この突出部の両側縁に形成された切り欠き状の凹部とを有するものとされ、
前記保護プレートには、前記保護壁部の内側面を覆う保護側板部が設けられ、
前記カシメ部材は、前記保護カバー部材の内部に前記台座部を収納した状態で、前記台座部挿通口から前記カシメ取付部の内部に、前記保護カバー部材とともに前記台座部が収納されることで、前記突起挿通スリットから前記筒状突起部を突出させた状態で前記カシメ取付部に取り付けられるものとされ、
前記保護カバー部材は、前記カシメ部材の前記台座部を内部に収納した状態で当該カシメ部材とともに前記台座部挿通口から前記カシメ取付部の内部に入れられるものであり、且つ、当該カシメ部材とともに前記台座部挿通口から前記カシメ取付部の内部に入れられると、前記突出部の前記凹部に前記カシメ取付部側の前記鍔部が挿通されるように形成されるとともに、前記凹部に前記鍔部が挿通されると、当該鍔部によって係止され、前記筒状突起部の突出方向に沿って前後に移動することが不可能となるように形成されていることを特徴とする遊技機。
【発明の詳細な説明】
【技術分野】
【０００１】
本発明は、遊技動作を制御する制御回路が形成されている制御基板と、この制御基板を内部に収納するために、少なくともベース部及び蓋部に分割された箱状に形成されている透明な合成樹脂製の基板ケースとを備えた遊技機に関する。
【背景技術】
【０００２】
従来から、スロットマシン等の遊技機は、遊技を行うのに必要な遊技装置、遊技装置の動作を制御する制御回路が形成された制御基板、及び、遊技装置及び制御基板に電力を供給する電源装置等と、これらの装置等を収納するために、正面形状が長方形となった筐体とを備えている。
筐体に収納される装置等のうち、制御基板は、遊技動作を制御するプログラムを記憶したＲＯＭ、及び、高速演算機能を有するＬＳＩ等からなるＣＰＵを備え、ＲＯＭに記憶されたプログラムをＣＰＵで実行するものとなっている。
このような制御基板は、真正のＲＯＭを入賞しやすい不正なプログラムを記憶した不正ＲＯＭに交換する等の不正行為を防止するために、箱状に形成された透明な合成樹脂製の基板ケースの内部に収納されている。
【０００３】
制御基板を収納する基板ケースとしては、一面が開口された箱状となっているとともに、制御基板が設置されるベース部と、このベース部に設置された制御基板の上方を覆う蓋部とを備えたものが一般的である。
そして、これらのベース部及び蓋部は、内部に設置された制御基板を不正行為から保護するために、閉じた状態で互いに結合されるようになっている。
【０００４】
これらのベース部及び蓋部の結合には、専用の結合具、例えば、一方が他方の内部に挿入可能となるように、入れ子状に形成された一対の筒体を備えた、いわゆる「カシメ」が利用される。
すなわち、「カシメ」の一対の筒体のうち、内側の筒体の外周面には、鉤状の返し部を有する爪部が形成され、外側の筒体の内周面には、前述の爪部を係止する段部が形成されている。一対の筒体のうちの一方を他方の内部に挿入すると、一方の爪部が他方の段部に係止され、これにより、一方が他方の内部に抜け止めされ、一対の筒体が相互に結合されるようになっている。
【０００５】
このような「カシメ」で閉じられた基板ケースは、一旦、開放すると、「カシメ」が破壊されるので、再度、基板ケースを閉じても、「カシメ」の破壊跡が残るとともに、この破壊跡が透明な合成樹脂を通して容易に視認できるようになっており、これにより、開けたことが直ちに判るようになっている。
このため、基板ケースが不正に開けられた場合、「カシメ」の破壊跡が残るので、この場合には、遊技機の筐体を開放し、内部の基板ケースを正面から目視するだけで、「カシメ」の破壊跡を確認でき、従って、基板ケースの不正開放を容易且つ迅速に確認することができる（例えば、特許文献１参照）。
【０００６】
しかしながら、前述のような基板ケースには、基板ケースを筐体から外し、基板ケースの側面あるいは裏面に孔を開け、この孔を通して内部に設けられている「カシメ」の爪部を取り除く、あるいは、爪部の係止を解除すれば、外部から視認可能な破壊跡を残すことなく、基板ケースを開放することができる、というおそれがある。
このようなおそれを払拭するために、「カシメ」の周囲を覆う筒状に形成された金属製の保護プレート、及び、「カシメ」の底部を覆う金属製の保護カバーの両方を設け、基板ケースの側面あるいは裏面への貫通孔の形成を困難にし、これにより、基板ケースの不正開放の防止を図っている。
【先行技術文献】
【特許文献】
【０００７】
【特許文献１】特開２００６−２５５１１９号公報
【発明の概要】
【発明が解決しようとする課題】
【０００８】
前述のような遊技機では、基板ケースを筐体から外し、保護プレートや保護カバーが内部を挿通可能なサイズの孔を基板ケースの裏面を開ければ、この孔を通して保護プレートや保護カバーを基板ケースの外部に取り出すことができ、保護プレートや保護カバーを基板ケースの外部に取り出してしまえば、前述の孔を通して内部に設けられている「カシメ」の爪部を取り除くこと、あるいは、爪部の係止を解除することができ、外部から視認可能な破壊跡を残すことなく、基板ケースを開放することができ、従って、基板ケースの不正開放の防止を充分に図ることができない、という問題がある。
【０００９】
そこで、各請求項にそれぞれ記載された各発明は、上記した従来の技術の有する問題点に鑑みてなされたものであり、その目的とするところは、基板ケースの不正開放の防止を充分に図れるようになる遊技機を提供することである。
【課題を解決するための手段】
【００１０】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
【００１１】
（請求項１）
（特徴点）
請求項１記載の発明は、次の点を特徴とする。
すなわち、請求項１に記載された発明は、遊技動作を制御する制御回路が形成されている制御基板(80)と、この制御基板(80)を内部に収納するために、少なくともベース部(52)及び蓋部(53)に分割された箱状に形成されている透明な合成樹脂製の基板ケース(50)とを備えた遊技機(１)であって、前記ベース部(52)及び前記蓋部(53)のそれぞれの互いに対応する部分に設けられるとともに、前記ベース部(52)及び前記蓋部(53)を相互に連結するために互いに結合し合う合成樹脂製のカシメ部材(81)及びカシメ受部(82)と、前記カシメ部材(81)を保護するために金属製の箱状に形成された保護カバー部材(83)と、前記カシメ受部(82)を保護するために金属製の略筒状に形成された保護プレート(85)とを備え、前記カシメ部材(81)及び前記カシメ受部(82)は、入れ子状に形成された一対の筒状の部位である筒状突起部(81B) 及び筒状受部(82B) をそれぞれ有し、これらの筒状突起部(81B) 及び筒状受部(82B) のそれぞれには互いに係止し合う爪部(81F) 及び段部(82D) が設けられ、これらの爪部(81F) 及び段部(82D) が係止し合うことで相互に結合されるものであり、前記カシメ部材(81)には、前記筒状突起部(81B) の底面よりも大きな長方形状に形成されるとともに、前記筒状突起部(81B) の基部が一体化される基部面(81G) を有する台座部(81A) が設けられ、この台座部(81A) が有する前記基部面(81G) の両側縁には、前記筒状突起部(81B) の周面よりも当該筒状突起部(81B) の径方向外側へ張り出した肩部(81C) が設けられ、前記ベース部(52)には、前記カシメ部材(81)の前記台座部(81A) を内部に収納可能な箱状に形成されたカシメ取付部(84)が設けられ、このカシメ取付部(84)には、前記ベース部(52)及び前記蓋部(53)が形成する前記基板ケース(50)の内部空間に臨む面に、前記カシメ部材(81)の前記台座部(81A) が内部に挿通可能に形成された台座部挿通口(84A) が開口されるとともに、前記蓋部(53)に対向する面に、前記台座部(81A) から前記蓋部(53)に向かって突出した前記筒状突起部(81B) を前記台座部挿通口(84A) 側から内部に挿通可能となった切り込み状の突起挿通スリット(84B) が開口され、前記カシメ取付部(84)には、前記突起挿通スリット(84B) の両側に位置する側壁に、前記カシメ部材(81)の前記台座部(81A) に形成されている前記肩部(81C) を係止する鍔部(84C) が設けられ、前記カシメ受部(82)には、前記筒状受部(82B) の周囲に当該筒状受部(82B) を囲むように形成された筒状の保護壁部(82A) と、この保護壁部(82A) の底面を形成するとともに、前記筒状受部(82B) の底部が一体化された底板部(82E) とが設けられ、前記保護カバー部材(83)には、前記カシメ部材(81)の前記台座部(81A) における前記基部面(81G) とは反対側となる基部底面を覆う保護底板部(83F) と、この保護底板部(83F) の側縁から立ち上がるとともに前記台座部(81A) の側面を覆う保護側壁部(83B,83C,83G,83H) とが設けられ、前記保護カバー部材(83)に設けられている前記保護側壁部(83B,83C,83G,83H) のうち、前記台座部(81A) の前記台座部挿通口(84A) への挿通方向における前後に位置する保護側壁部(83B, 83C)の少なくとも一方は、その先端が他の保護側壁部(83G, 83H)の先端よりも前記蓋部(53)側へ突出するように形成された突出部(83J, 83K)と、この突出部(83J, 83K)の両側縁に形成された切り欠き状の凹部(83D, 83E)とを有するものとされ、前記保護プレート(85)には、前記保護壁部(82A) の内側面を覆う保護側板部(85B) が設けられ、前記カシメ部材(81)は、前記保護カバー部材(83)の内部に前記台座部(81A) を収納した状態で、前記台座部挿通口(84A) から前記カシメ取付部(84)の内部に、前記保護カバー部材(83)とともに前記台座部(81A) が収納されることで、前記突起挿通スリット(84B) から前記筒状突起部(81B) を突出させた状態で前記カシメ取付部(84)に取り付けられるものとされ、前記保護カバー部材(83)は、前記カシメ部材(81)の前記台座部(81A) を内部に収納した状態で当該カシメ部材(81)とともに前記台座部挿通口(84A) から前記カシメ取付部(84)の内部に入れられるものであり、且つ、当該カシメ部材(81)とともに前記台座部挿通口(84A) から前記カシメ取付部(84)の内部に入れられると、前記突出部(83J, 83K)の前記凹部(83D, 83E)に前記カシメ取付部(84)側の前記鍔部(84C) が挿通されるように形成されるとともに、前記凹部(83D, 83E)に前記鍔部(84C) が挿通されると、当該鍔部(84C) によって係止され、前記筒状突起部(81B) の突出方向に沿って前後に移動することが不可能となるように形成されていることを特徴とする。
【発明の効果】
【００１２】
（請求項１の効果）
以上のように構成されている本発明は、以下に記載されるような効果を奏する。
すなわち、請求項１記載の発明によれば、互いに係止し合う爪部及び段部を有し、これらの爪部及び段部の係止によって相互に結合されるカシメ部材及びカシメ受部を、ベース部及び蓋部の互いに対応する位置に設けたので、ベース部に向かって蓋部を押し付けるだけで、カシメ部材及びカシメ受部が相互に結合され、これにより、ベース部及び蓋部の連結、すなわち、基板ケースの閉鎖を容易に行うことができる。
そして、金属製の箱状に形成された保護カバー部材でカシメ部材に設けられた台座部の基部底面側を覆い、この状態で、カシメ部材を基板ケース側のカシメ取付部の内部に収納し、これにより、カシメ部材を基板ケースに取り付けるようにしたので、カシメ部材とともに保護カバー部材も基板ケースのベース部に固定され、且つ、台座部が保護カバー部材に覆われ、これにより、カシメ部材に設けられた台座部の基部底面側が保護カバー部材によって保護され、ベース部の裏面における台座部に対応する部分に、カシメの爪部及び段部に達する貫通孔を形成することが困難となる。
また、カシメ受部の保護壁部の内側面に沿わせるように、金属製の略筒状に形成された保護プレートをカシメ受部の保護壁部の内側に入れれば、保護プレートがカシメ受部の内部に配置されるとともに、カシメ受部の保護壁部の内側面が保護プレートの保護側板に覆われ、これにより、カシメ受部の筒状受部が保護カバー部材によって保護され、基板ケースの側面における筒状受部に対応する部分に、カシメの爪部及び段部に達する貫通孔を形成することが困難となる。
この際、保護カバー部材に設けられている保護側壁部のうち、台座部の台座部挿通口への挿通方向における前後に位置する保護側壁部の先端を他の保護側壁部の先端よりも蓋部側へ延長し、当該延長部分を他の保護側壁部の先端よりも蓋部側へ突出する突出部とし、この突出部の両側縁に切り欠き状の凹部を形成し、カシメ部材の台座部とともに保護カバー部材を台座部挿通口からカシメ取付部の内部に入れると、突出部に形成した凹部にカシメ取付部側の鍔部が挿通され、この鍔部によって突出部の凹部が係止されるようにしたので、保護カバー部材をカシメ部材とともにカシメ取付部に設置すると、鍔部によって凹部が係止され、保護カバー部材が筒状突起部の突出方向に沿って前後に移動することが不可能となる。
従って、保護カバー部材の凹部が鍔部に係止され、筒状突起部の突出方向に沿って保護カバー部材を前後に移動することができなくなっているので、保護カバー部材や保護プレートが内部を挿通可能なサイズの孔をベース部の裏面に開けても、この孔を通じて保護カバー部材を外部に取り出すことができない。
このため、金属製の保護カバー部材及び保護プレートが内部の所定位置に配置された状態が維持されるようになり、カシメの爪部及び段部に到達する貫通孔を形成することができず、爪部を取り除くことや、爪部及び段部の係止を解除することもできず、従って、基板ケースの不正開放の防止を充分に図ることができ、これにより、前記目的を達成することができる。
【図面の簡単な説明】
【００１３】
【図１】本発明の第１実施形態の全体を示す正面図である。
【図２】前記実施形態に係る筐体内部を示す正面図である。
【図３】前記実施形態に係る基板ケースを示す斜視図である。
【図４】前記実施形態に係る基板ケースを示す分解斜視図である。
【図５】前記実施形態に係る箱状部を示す斜視図である。
【図６】前記実施形態に係るベース部側の連結部分を示す分解斜視図である。
【図７】前記実施形態に係る蓋部側の連結部分を示す分解斜視図である。
【図８】前記実施形態に係る保護カバー部材を示す斜視図である。
【図９】前記実施形態に係る箱状部の連結部分を示す断面図である。
【図１０】前記実施形態の要部を示す平断面図である。
【図１１】前記実施形態に係る破断部材の動作を説明するための断面図である。
【図１２】本発明の第２実施形態に係る基板ケースを示す斜視図である。
【図１３】前記実施形態に係る基板ケースを示す分解斜視図である。
【図１４】前記実施形態に係る箱状部を示す斜視図である。
【図１５】前記実施形態の要部を示す断面図である。
【図１６】前記実施形態に係る破断部材の動作を説明するための断面図である。
【図１７】本発明の第３実施形態に係る基板ケースを示す分解斜視図である。
【図１８】前記実施形態に係る基板ケースを示す正面図である。
【図１９】前記実施形態に係る基板ケースを示す、保護カバー部材が分離状態の斜視図である。
【図２０】図１８のＡ−Ａ線における断面図である。
【図２１】前記実施形態に係る基板ケースを示す、コネクタカバーが分離状態の斜視図である。
【図２２】前記実施形態に係るコネクタカバーを示す、図１８のＢ−Ｂ線における断面図である。
【図２３】前記実施形態に係るスイッチボックスの分解斜視図である。
【図２４】前記実施形態に係るスイッチボックスを示す、図１８のＢ−Ｂ線における断面図である。
【図２５】本発明の変形例に係る保護カバー部材を示す斜視図である。
【図２６】本発明の変形例に係る保護プレート及びカシメ受部を示す図である。
【発明を実施するための形態】
【００１４】
以下に、本発明を実施するための形態である実施形態について、図面を参照しながら説明する。
［第１実施形態］
（スロットマシン１の概要）
図１には、本発明の第１実施形態に係る遊技機としてのスロットマシン１が示されている。図１において、スロットマシン１は、三個の回転リール11の各々に記された複数種類の図柄が所定の組合せとなるように、回転している回転リール11を停止させる遊技を行うものである。このスロットマシン１には、図１に示すように、当該スロットマシン１の各種装置を収納するとともに、正面形状が長方形となった筐体２が備えられている。
筐体２は、前面全体が開口された箱状の部材である。そして、筐体２の前面開口は、当該筐体２に回動可能に取り付けられた前扉３で塞がれるようになっている。なお、前扉３は、閉じられると、自動的に施錠されるようになっている。
【００１５】
前扉３は、その前面をほぼ二分する上部パネル部４及び下部パネル部５を備えたものとなっている。そして、下部パネル部５の下方には、入賞時に払い出されるメダルを貯留する受皿部6Aが一体成形された受皿ユニット６が設けられている。また、また、上部パネル部４と下部パネル部５との間には、遊技に係る操作を行うための操作卓７が遊技者側に突出するように形成されている。
ここで、上部パネル部４及び下部パネル部５は、意匠的に優れた外観を確保するために、合成樹脂製の化粧板が表面に張り付けられたものとなっている。
【００１６】
（上部パネル部４）
上部パネル部４には、図１中、操作卓７の上方且つ幅方向の中央部分において長方形状に形成された表示窓4Aが設けられている。
ここで、筐体２内部に設けられた三個の回転リール11の各々は、その外周面に複数種類の図柄に記されている。そして、各回転リール11の図柄は、筐体２の外部から表示窓4Aを通して目視可能となっている。
【００１７】
上部パネル部４の上端縁部分には、正面形状が逆台形状に形成された演出用照明装置4Bが設けられている。この演出用照明装置4Bは、上部パネル部４の上端縁部分のほぼ中央に配置されている。演出用照明装置4Bの両端部は、上部パネル部４の角隅部分まで達することなく、その手前の位置で途切れたものとなっている。
また、上部パネル部４の上側における両角近傍には、正面形状が湾曲した帯状に形成されるとともに、漢数字の「八」を描く一対の演出用照明装置4Cが設けられている。これらの演出用照明装置4Cの各々は、その上端部が演出用照明装置4Bの端部近傍に配置されるとともに、その下端側の部分が上部パネル部４の側縁へ向かって斜め下方に延びたものとなっている。
さらに、上部パネル部４の両方の側縁には、演出用照明装置4Cの下端に接続された別の演出用照明装置4Dがそれぞれ設けられている。これらの演出用照明装置4Dの各々は、演出用照明装置4Cと同様に、上下方向に細長い帯状に形成されたものであり、演出用照明装置4Cの下端から、上部パネル部４の側縁に沿って延び、操作卓７の直近まで達するものとなっている。
これらの演出用照明装置4B〜4Dの各々は、赤色のレンズの内部に配置された高輝度発光ダイオード等の光源を備え、遊技の進行に応じて、その光源の点灯又は点滅により、遊技における視覚的な演出効果を高めるものである。
【００１８】
表示窓4A及び演出用照明装置4Bの間には、遊技の演出用画像を表示する液晶表示装置4Eが設けられている。この液晶表示装置4Eは、動画を含む様々な画像を、遊技の進行に応じて表示するものである。
液晶表示装置4Eの両側には、遊技に係る効果音を発生するスピーカを備えた音声出力部4Fがそれぞれ設けられている。
【００１９】
（操作卓７）
操作卓７は、遊技における操作に必要な各種のスイッチ類が配置されたものである。
すなわち、操作卓７における図１中右端の部分には、前扉３の施錠を解除するための鍵が挿入される鍵穴7Aが設けられている。この鍵穴7Aの左斜め上方には、メダルを投入するためのメダル投入口7Bが開口されたメダル投入部7Cが設けられている。
メダル投入口7Bの左斜め下方には、三個の回転リール11のそれぞれを停止させる際に操作される三個のストップボタン7Dが設けられている。これら三個のストップボタン7Dのうち、左端に配置されているストップボタン7Dの左斜め上方には、一度の操作で最大枚数のメダルを賭けることができるマックスベットボタン7Eが設けられている。
また、左端のストップボタン7Dの左方であって、マックスベットボタン7Eの左斜め下方の位置には、三個の回転リール11を一斉に回転させる際に操作されるスタートレバー7Fが設けられている。このスタートレバー7Fの左斜め上方には、１回の操作で貯留されているメダルを１枚賭けることのできる、換言すると、メダルを１枚ずつ賭ける際に操作されるベットスイッチ7Gが設けられている。
さらに、ベットスイッチ7Gの左斜め下方には、精算時に貯留されているメダルを払い出させる精算ボタン7Hが設けられている。
【００２０】
（下部パネル部５及び受皿ユニット６）
下部パネル部５には、スロットマシン１のモデルタイプを表す象徴するキャラクター等が描かれたパネル5Aが設けられている。
受皿ユニット６には、メダルを貯留する前述の受皿部6Aに加えて、入賞時に受皿部6Aへ向かって払い出されるメダルを排出させるメダル払出口6Bと、遊技に係る効果音を発生するスピーカを備えた音声出力部6Cとが設けられている。
【００２１】
（筐体２）
次に、筐体２について簡単に説明する。
筐体２は、遊技の進行に必要な機能を有する複数種類の内部装置を内部に収納する箱状のものである。すなわち、筐体２は、図２に示すように、天面、底面、両方の側面、及び、背面の各々に配置される天板41、底板42、一対の側板43、及び、背板44を備えているとともに、前面が開口された六面体に形成されたものである。
また、筐体２には、一対の側板43の間に架け渡された中板45が設けられている。この中板45によって、筐体２の内部空間は、上下に仕切られている。
さらに、筐体２には、天板41の図２中下方の下面から下方へ突き出た平板状の抜け止め部46が設けられている。この抜け止め部46については、後で更に詳しく説明する。
【００２２】
（筐体２に収納されている内部装置）
次いで、筐体２の内部に設けられている内部装置について簡単に説明する。
筐体２の内部には、図２に示すように、スロットマシン１の遊技動作を制御するマイクロコンピュータからなるＣＰＵを備えた後述する主制御基板80を内蔵する基板ケース50、三個の回転リール11が回転自在に支持するとともに、これらの回転リール11のそれぞれを駆動する図示しないモータを備えたリールユニット10、内部に多数のメダルを貯留させる容器部21を備えるとともに受皿部6Aに向かってメダルを排出するホッパユニット20、及び、これらの装置に電力を供給する電源装置９等が設けられている。
このうち、リールユニット10は、それぞれが円筒状に形成された複数の回転リール11を有するものである。そして、これらの回転リール11の各外周面には、特に図示していないが、複数種類の図柄が記されている。
以上において、主制御基板80は、スロットマシン１の遊技動作を制御する制御回路が形成されている制御基板となっている。
【００２３】
前扉３の裏側の面には、表側の面に配置された液晶表示装置4Eに対応して、液晶表示装置4E、演出用照明装置4B〜4D及び音声出力部4F, 6Cの動作を制御する図示しないサブ制御基板を内蔵する基板ケース2Dが設けられている。
また、前扉３の裏側の面には、表側の面に開口されたメダル投入口7Bに対応して、投入されたメダルの適否を判定するメダルセレクタ８が設けられている。
【００２４】
(基板ケース50)
次に、前述の主制御基板を内蔵する基板ケース50について簡単に説明する。
基板ケース50は、図３に示すように、箱状に形成された箱状部51を備えたものである。この箱状部51は、遊技動作を制御する制御回路が形成されている制御基板である前述の主制御基板80を内部に収納するためのものである。
箱状部51は、外部から内部の視認が可能な透明合成樹脂製の部材であり、後述するベース部52と蓋部53とに分割可能となっている。なお、図３には、蓋部53のみが示され、ベース部52の図示は省略されている。
【００２５】
このような箱状部51の図３中上方の端縁中央部には、ベース部52及び蓋部53を両側から挟持するために、断面逆Ｕ字形のカバー部材60が取り付けられている。
このカバー部材60は、図３中下方の端縁近傍における略中央部に開口されるとともに、円形に形成されたブレード挿通孔60A を備えたものである。
このブレード挿通孔60A には、当該ブレード挿通孔60A に応じて円形の笠状に広がった頭部71を有する破断部材70が挿通されるようになっている。
【００２６】
更に詳しく説明すると、基板ケース50は、図４に示すように、前述したベース部52、蓋部53、カバー部材60及び破断部材70の五つを主要部品として備えたものである。
そして、ベース部52及び蓋部53には、遊技機であるスロットマシン１の固有の情報、例えば、製造番号であるシリアルナンバー等のデジタルデータが記録されたＩＣタグ（ＩＣチップ）が設けられているＩＣタグシール12が貼付されるようになっている。
【００２７】
ベース部52は、主制御基板80が取り付けられるものであり、適宜な構造の固定部材を介して筐体２に固定されている。
蓋部53は、ベース部52に取り付けられた主制御基板80を覆って、当該主制御基板80を保護するものであり、ベース部52と組み合わされることにより、ベース部52とともに内部に密閉された空間を形成している。
これらのベース部52及び蓋部53の図４中上方の端縁中央部は、互いに対応する部分に配置されたものであり、且つ、ベース部52と蓋部53とを閉鎖状態にすると、互いに組み合わされるように形成されたものである。換言すると、ベース部52及び蓋部53の上方端縁中央部は、互いに組み合わされるように形成されるとともに、ベース部52及び蓋部53におけるカバー部材60に挟持される一対の被挟持部54, 55となっている。
【００２８】
被挟持部54, 55には、カバー部材60の内部に収納される部分に、ＩＣタグシール12が貼付される面であるタグ貼付面56A, 56Bが形成されている。
すなわち、一対の被挟持部54, 55は、図５に示されるように、組み合わされると、略直方体の箱状を形成するようになっている。
そして、ベース部52側の被挟持部54に形成されたタグ貼付面56A 、及び、蓋部53側の被挟持部55に形成されたタグ貼付面56B は、一対の被挟持部54, 55が組み合わされると、同一面を形成するものとなっている。
【００２９】
このようなタグ貼付面56A, 56BにＩＣタグシール12を貼付すると、ＩＣタグシール12は、一対の被挟持部54, 55の両方にまたがって貼付され、ひいては、ベース部52及び蓋部53の両方にまたがって貼付されるようになっている。
これにより、タグ貼付面56A, 56BにＩＣタグシール12が貼付された状態で、ベース部52及び蓋部53が強制的に開放されて分離されると、ＩＣタグシール12が二つに分断されるようになっている。
【００３０】
タグ貼付面56A, 56Bには、図４及び図５に示されるように、貼付されたＩＣタグシール12の周囲を囲むように延びる立ち上がり部57A, 57Bが突設されている。
また、タグ貼付面56A, 56Bには、図５中左右方向の略中央部分において、当該タグ貼付面56A, 56Bを図５中上下に横切るように延びるスリット58A, 58Bが開口されている。
これらのスリット58A, 58Bは、破断部材70に設けられた後述するブレード部72を内部に挿通させるものである。破断部材70のブレード部72は、スリット58A, 58Bの内部に挿通された状態で、当該スリット58A, 58Bに沿って移動可能となっている。
破断部材70及びカバー部材60については、後で更に詳しく説明する。
【００３１】
（カシメ部材81及びカシメ受部82）
続いて、ベース部52及び蓋部53を相互に接合するための部材である合成樹脂製のカシメ部材81及びカシメ受部82について詳しく説明する。
これらのカシメ部材81及びカシメ受部82は、一方が他方の内部に挿入可能となるように、入れ子状に形成された一対の筒体を有するものである。
換言すると、カシメ部材81及びカシメ受部82は、ベース部52及び蓋部53のそれぞれにおける互いに対応する部分に設けられるとともに、ベース部52及び蓋部53を相互に結合し合うものである。
【００３２】
すなわち、カシメ部材81は、図６に示すように、平たい直方体状に形成された台座部81A と、入れ子状に形成された一対の筒体のうちの一方として、円筒状に形成された筒状突起部81B とを備えたものとなっている。
このうち、筒状突起部81B は、台座部81A の蓋部53に対向する正面から蓋部53へ向かって突出するものとなっている。
また、直方体状の台座部81A は、筒状突起部81B が突設された正面が長方形状の基部面81G とされている。この長方形状の基部面81G は、図６中上下方向に延びる辺が長方形の長辺とされ、図６中左右方向に延びる辺が長方形の短辺とされている。
【００３３】
そして、基部面81G は、短辺の長さ寸法が筒状突起部81B の直径よりも大きさとなっている。また、基部面81G の長辺方向に沿った両側縁には、筒状突起部81B の周面よりも当該筒状突起部81B の径方向外側へ張り出した肩部81C が形成されている。
さらに、台座部81A は、長辺の長さ寸法が筒状突起部81B の直径の２倍程度の大きさとなっているとともに、その上半分の部位に筒状突起部81B が設けられ、下半分が平坦な部位となっている。
以上において、カシメ部材81に設けられている台座部81A は、筒状突起部81B の底面よりも大きな長方形状に形成されているとともに、筒状突起部81B の基部が一体化されている基部面81G を有したものとなっている。
【００３４】
このような台座部81A には、図７に示すように、当該台座部81A の背面及びその周縁に沿った四つの側面を覆うことができる直方体の箱状に形成された金属製の保護カバー部材83が背面側から取り付けられるようになっている。
保護カバー部材83は、カシメ部材81の台座部81A における基部面81G とは反対側となる基部底面を覆う保護底板部83F と、図８に示すように、この保護底板部83F の側縁から立ち上がるとともに台座部81A の側面を覆う保護側壁部83B,83C,83G,83H とが設けられたものとなっている。
【００３５】
保護カバー部材83は、台座部81A 側の長辺に沿った保護側壁部83G, 83Hに開口された係止孔83A を有している。
一方、台座部81A の長辺に沿った側壁には、図７の如く、その表面から突出するとともに、保護カバー部材83側の係止孔83A に嵌め込まれる係止突起81D が設けられている。
保護カバー部材83は、カシメ部材81を保護するための部材であって、カシメ部材81の背面を覆うように取り付けられると、その係止孔83A が台座部81A 側の係止突起81D に係止され、カシメ部材81から脱落しないようになっている。
【００３６】
また、保護カバー部材83に設けられている保護側壁部83B,83C,83G,83H のうち、台座部81A 側の長辺に沿った保護側壁部83B, 83Cは、図８の如く、その先端が他の保護側壁部83B, 83Cの先端よりも蓋部53側へ突出するように形成された突出部83J, 83Kと、この突出部83J, 83Kの両側縁に形成された切り欠き状の凹部83D, 83Eとを有している。なお、凹部83D, 83Eは、突出部83J, 83Kの側縁を四角形状に切り欠いたものとなっている。
【００３７】
図６に戻って、ベース部52には、図６中、被挟持部54の両側に、カシメ部材81が着脱可能となっているカシメ取付部84が設けられている。
すなわち、カシメ取付部84は、カシメ部材81を内部に収納可能な箱状に形成された部位である。カシメ取付部84における図６中下方の面には、台座部挿通口84A が開口されている。また、カシメ取付部84における図６中手前の面には、突起挿通スリット84B が開口されている。
【００３８】
カシメ取付部84の下方の台座部挿通口84A は、当該カシメ取付部84の側面のうち、ベース部52及び蓋部53が形成する基板ケース50の箱状部51の内部空間に臨む面に開口されたものである。
また、台座部挿通口84A は、カシメ部材81の台座部81A が内部に挿通可能となるように、基部面81G の周囲に配置された側面のうち、基部面81G の短辺を含む台座部81A の側面に応じたサイズの開口となっている。
【００３９】
カシメ取付部84の手前の突起挿通スリット84B は、当該カシメ取付部84の面のうち、蓋部53に対向する面に開口されたものである。
また、突起挿通スリット84B は、台座部81A から蓋部53に向かって突出した筒状突起部81B を台座部挿通口84A 側から内部に挿通可能となった切り込み状のスリットである。
換言すると、突起挿通スリット84B は、その幅がカシメ部材81の筒状突起部81B の直径に応じた寸法となっている。
そして、突起挿通スリット84B の両側には、当該突起挿通スリット84B の両側に位置する側壁の頂部から互いに近づく方向に突出するとともに、図６中上下方向に延びる一対の鍔部84C が形成されている。
これら一対の鍔部84C は、カシメ取付部84側に形成された突起挿通スリット84B の両側に位置する側壁に設けられるとともに、カシメ部材81の台座部81A に形成された肩部81C を係止するものとなっている。
ここにおいて、保護カバー部材83の保護側壁部83B, 83Cは、台座部81A の台座部挿通口84A への挿通方向における台座部81A の前後に位置するものとなっいる。
【００４０】
ここで、保護カバー部材83の保護側壁部83B, 83Cに形成されている凹部83D ,83Eの内部には、突起挿通スリット84B の両側に形成された鍔部84C が挿通可能となっている。
そして、保護カバー部材83が背部に取り付けられたカシメ部材81は、カシメ取付部84の下方の台座部挿通口84A を通ってカシメ取付部84の内部に入れられ、保護カバー部材83の保護側壁部83B, 83Cに形成された凹部83D ,83Eの内部に鍔部84C を挿通させながら、カシメ取付部84の所定位置まで持ち上げられ、これにより、ベース部52への取り付けがなされるようになっている。
【００４１】
ここで、カシメ部材81は、カシメ取付部84の下方の開口から外部へ取り出すことができるが、手前の開口の両側に形成された鍔部84C に抜け止めされ、手前側へ引き抜くことが不可能、すなわち、突起挿通スリット84B から抜き取れないようになっている。
また、保護カバー部材83は、カシメ部材81がベース部52に取り付けられると、その保護側壁部83B, 83Cに形成された凹部83D ,83Eが、突起挿通スリット84B の両側に形成された鍔部84C に係止された状態となっている。これにより、カシメ部材81の背面と対向するベース部52の側壁が不正に切り取られ、保護カバー部材83の背面の大きさに相当する孔が開口されても、保護側壁部83B, 83Cの凹部83D ,83Eが、突起挿通スリット84B 両側の鍔部84C に係止され、不正に開けられた孔から保護カバー部材83を取り除くことができないようになっている。
【００４２】
ここにおいて、カシメ部材81は、保護カバー部材83の内部に台座部81A を収納した状態で、台座部挿通口84A からカシメ取付部84の内部に、保護カバー部材83とともに台座部81A が収納されることで、突起挿通スリット84B から筒状突起部81B を突出させた状態でカシメ取付部84に取り付けられるものとなっている。
また、保護カバー部材83は、カシメ部材81の台座部81A を内部に収納した状態で当該カシメ部材81とともに台座部挿通口84A からカシメ取付部84の内部に入れられるものであり、且つ、当該カシメ部材81とともに台座部挿通口84A からカシメ取付部84の内部に入れられ、さらに、その凹部83D, 83Eにカシメ取付部84側の鍔部84C が挿通されるように形成されるている。
そして、保護カバー部材83は、凹部83D, 83Eに鍔部84C が挿通されると、当該鍔部84C によって係止され、筒状突起部81B の突出方向に沿って前後に移動することが不可能となるように形成されている。
【００４３】
このようなカシメ部材81と結合するカシメ受部82は、図７に示すように、蓋部53におけるベース部52に設けられているカシメ取付部84に対応した位置に設けられている。
ここで、カシメ受部82は、図７中、被挟持部55の両側に設けられている四角筒状の保護壁部82A と、この保護壁部82A の内部に保護されるように形成された円筒状の筒状受部82B と、図９に示すように、保護壁部82A の底面を形成するとともに、筒状受部82B の底部が一体化された底板部82E を有するものとなっている。
【００４４】
図７に戻って、保護壁部82A は、筒状受部82B の周囲に当該筒状受部82B を囲むように形成された四角筒状のものである。この保護壁部82A は、略正方形の断面形状を有するとともに、断面形状の略正方形が有する四つ辺のそれぞれに沿った４つの側壁を有するものとなっている。
これらの側壁のうち、カシメ部材81に設けられた台座部81A の下半分における平坦な部位と対応する側壁は、その先端が他の側壁の先端よりも後退した位置に配置されている。これにより、保護壁部82A には、カシメ部材81に設けられた台座部81A の下半分における平坦な部位を逃がす逃げが形成され、カシメ部材81との結合の際に、カシメ部材81の台座部81A と干渉しないようになっている。
【００４５】
さらに、保護壁部82A の内部には、保護壁部82A の内側面を覆う金属製の保護プレート85が挿入されるようになっている。
換言すると、保護プレート85は、保護壁部82A の四つ内側面をそれぞれ覆う四つの保護側板部85B を備えたものとなっている。
このような保護プレート85は、カシメ受部82を保護するための部材であって、帯状に形成された金属板の長手方向の途中部分を折り曲げることで形成された略正方形の断面形状を有する略筒状の部材である。
【００４６】
また、保護プレート85は、保護壁部82A への挿入方向の先端となる端縁から後端となる端縁に向かって細長く延びる切り欠き部85A が設けられている。
保護プレート85における切り欠き部85A の先端両側の部分は、筒状の外側へ僅かに折り曲げられている。これにより、保護プレート85は、保護壁部82A の内部に挿入された際に、折り曲げられた切り欠き部85A の先端両側の部分が保護壁部82A の内側面に摩擦力で係止され、蓋部53から脱落しないようになっている。
【００４７】
カシメ受部82の筒状受部82B は、図９に示すように、カシメ部材81側の筒状突起部81B を内部に挿入させる円筒状の部位である。換言すると、筒状受部82B 及び筒状受部82Bは、入れ子状に形成された一対の筒体であり、筒状受部82B の内部に筒状突起部81B が挿入可能となっている。
そして、内側の筒体である筒状突起部81B の外周面には、図９の如く、鉤状の返し部81E を有する爪部81F が形成されている。
外側の筒体である筒状受部82B の内周面には、筒状突起部81B 側の爪部81F を係止する段部82D が形成されている。筒状突起部81B を筒状受部82B の内部に挿入すると、筒状突起部81B の爪部81F が筒状受部82B の段部82D に係止され、これにより、筒状突起部81B が筒状受部82B の内部に抜け止めされ、筒状突起部81B 及び筒状受部82B が相互に結合されるようになっている。
【００４８】
（破断部材70及びカバー部材60）
次に、カバー部材60及び破断部材70について詳しく説明する。
カバー部材60は、図１０及び図１１（Ａ）に示すように、箱状部51側の互いに組み合わされた一対の被挟持部54, 55を両側から挟み込む一対の腕部61A, 61Bと、これらの腕部61A, 61Bの一端同士を連結する背板部61C とを有する断面逆Ｕ字形のものである。
ここで、図４に戻って、カバー部材60は、図４の如く、一対の腕部61A, 61Bの先端間が開口され、これにより、一対の腕部61A, 61Bの間に開口部62が形成されている。
【００４９】
また、一対の被挟持部54, 55のうち、被挟持部55の両側の側縁には、図１０の如く、被挟持部55と直交する平板状の側壁部59がそれぞれ設けられている。
一方、被挟持部54は、被挟持部55及び側壁部59が形成する箱の開口を塞ぐ蓋となっている。そして、これらの被挟持部54, 55は、互いに対向する内面から相手側へ向かって突出して相手に当接する補強リブ59A, 59Bが一体成形されたものとなっている。
一対の被挟持部54, 55は、前述したように、組み合わされた際に箱状を形成するものであり、箱状を形成した際に、補強リブ59A, 59Bによって充分な剛性が確保され、両側から押されても潰れることがないように形成されている。
【００５０】
以上において、カバー部材60は、図４、図１０及び図１１（Ａ）の如く、箱状部51側の互いに組み合わされた一対の被挟持部54，55を両側から挟み込むために、基端部分が結合されているとともに先端部分が二股に分かれ、且つ、組み合わされた一対の被挟持部54, 55の表面全体を覆う大きさの板状に形成された一対の腕部61A, 61Bを有している。
そして、カバー部材60は、図１１（Ａ）に示すように、組み合わされた一対の被挟持部54, 55の表面全体を一対の腕部61A, 61Bが覆う閉鎖位置まで押し込むことにより、基板ケース50の箱状部51に取り付けられるとともに、この閉鎖位置から引き抜くことにより、基板ケース50の箱状部51から取り外せるようになっている。
【００５１】
この際、カバー部材60は、図２に示すように、基板ケース50が筐体２に取り付けられると、筐体２に設けられている天板41の下面から下方へ突き出た抜け止め部46の直下に近接して配置されるようになっている。
これにより、カバー部材60は、基板ケース50が筐体２に取り付けられた状態では、抜け止め部46が障害物となって基板ケース50の一対の被挟持部54，55から引き抜けないようになっている。換言すると、カバー部材60は、当該基板ケース50を筐体２から取り外さないと、一対の被挟持部54，55から引き抜くことができないようになっている。
従って、基板ケース50は、当該基板ケース50を筐体２から取り外さないと、カバー部材60を一対の被挟持部54，55から引き抜くことができず、筐体２から取り外すことで、はじめて開くことが可能となっている。
【００５２】
破断部材70は、図１１（Ａ）の如く、笠状に広がった円盤状の頭部71と、ＩＣタグシール12を破断する鋸歯状の刃が長手方向に沿って形成されたブレード部72とを有するものである。このうち、ブレード部72は、頭部71の底に突設されたもの、更に詳しく説明すると、頭部71の底面71A から図１１（Ａ）中下方へ突出するように、当該頭部71に設けられたものとなっている。
ここで、ブレード部72の鋸歯状の刃は、鋭いものではなく、切れ味のにぶい比較的なまくらなものである。
これにより、ブレード部72で破断されたＩＣタグシール12は、ギザギザに破断され、分断されたもの同士を繋ぎ合わせることが不可能、すなわち、破断後の再使用が不可能となっている。
【００５３】
図１０に戻って、破断部材70に設けられた頭部71の底面71A における周縁近傍には、図１０の如く、その底面71A から突出する一対の係止爪73が設けられている。
これらの係止爪73の各々は、先端部分に先細りとなった楔状部73A が形成されたものである。更に詳しく説明すると、これらの係止爪73は、互いに対向する面が底面71A に垂直とされ、その反対側となる面の先端部分に楔状部73A がそれぞれ突設されている。
そして、一対の係止爪73は、楔状部73A と底面71A との間の部分が板状に形成され、この板状部分が弾性変形可能な板バネ部73B となっている。
【００５４】
一方、ブレード挿通孔60A は、カバー部材60の図１０中上方の腕部61A の表面から図１０中上方へ突出する筒部60B を軸方向に貫通する孔であり、且つ、タグ貼付面56A に対向する腕部61A の先端縁近傍に開口されるとともに、破断部材70のブレード部72が差し込まれる孔となっている。
そして、カバー部材60におけるブレード挿通孔60A の周囲部分、すなわち、ブレード挿通孔60A を囲む内周面には、鍔部63が突設され、鍔部63の図１０中下方の段差が破断部材70側の係止爪73を係止する係止段部64となっている。
【００５５】
破断部材70側の一対の係止爪73は、カバー部材60側のブレード挿通孔60A に破断部材70側のブレード部72が差し込まれた際に、ブレード挿通孔60A を囲む鍔部63に、その楔状部73A の傾斜面が押圧されるようになっている。
これにより、一対の係止爪73は、板バネ部73B が弾性変形し、先端の楔状部73A が互いに近づく方向に移動して、ブレード挿通孔60A の内部に入り込み、更に、ブレード挿通孔60A の奥に進み、楔状部73A が鍔部63を超えると、板バネ部73B が弾性力によって、元の状態に復帰して、楔状部73A が鍔部63に係止されるようになっている。
これにより、一対の係止爪73及び係止段部64は、ブレード挿通孔60A から破断部材70が抜き取れないように、相互に係止し合うようになっている。
【００５６】
ここで、図５に戻って、被挟持部54, 55側のタグ貼付面56A, 56Bを横切るように形成されたスリット58A, 58Bは、図５の如く、カバー部材60が閉鎖位置から引き抜かれる際におけるカバー部材60の移動方向に沿って延びるように形成されている。
また、スリット58A, 58Bは、タグ貼付面56A, 56Bの図５中左右方向における中心線から若干ずれた位置に形成されている。これにより、スリット58A, 58Bに沿って移動する破断部材70は、ＩＣタグシール12の中心に配置されるＩＣタグチップを避けて、ＩＣタグチップに接続されているアンテナ線を確実に破壊できるようになっている。
【００５７】
また、スリット58A, 58Bの端部は、タグ貼付面56A, 56Bから逸脱する位置に配置されている。そして、スリット58A, 58Bの端部のうち、図５中下方の端部は、ＩＣタグシール12の破断を開始する破断スタート位置αとして設定されている位置に配置されている。
換言すると、スリット58B は、図５中下方の部分が、ＩＣタグシール12の破断を開始する破断スタート位置αまで延びたものとなっている。
一方、カバー部材60側に形成されているブレード挿通孔60A は、カバー部材60が閉鎖位置に配置されると、図１１（Ａ）に示すように、タグ貼付面56A、56Bから逸脱した位置まで延びたスリット58A, 58Bの端部、すなわち、破断スタート位置αと対向する位置に配置されるようになっている。
【００５８】
破断部材70のブレード部72は、図１１（Ａ）の如く、カバー部材60が閉鎖位置に配置されている状態で、ブレード挿通孔60A に差し込まれるようになっており、ブレード挿通孔60A に差し込まれると、破断スタート位置αに設置されるようになっている。
そして、破断部材70のブレード部72は、閉鎖位置からカバー部材60が引き抜かれるのに伴って、スリット58A, 58Bに沿って移動し、図１１（Ｂ）に示すように、タグ貼付面56A, 56Bに貼付されたＩＣタグシール12を破断するようになっている。
【００５９】
以上のような本実施形態では、基板ケース50は、筐体２に取り付けられる際、ベース部52及び蓋部53が閉鎖状態にされるとともに、被挟持部54, 55がカバー部材60で挟持されて相互に結合された状態となる。
この状態で、破断部材70のブレード部72をカバー部材60のブレード挿通孔60A に差し込み、図１１（Ａ）に示すように、ブレード部72を破断スタート位置αに設置した後、基板ケース50を筐体２に取り付ける。
なお、カバー部材60のブレード挿通孔60A に破断部材70のブレード部72を差し込まずに、ブレード挿通孔60A の内部を空のしたままの状態で、基板ケース50を筐体２に取り付けてもよく、この場合には、カバー部材60は、基板ケース50からの取り外しの際に、ＩＣタグシール12を傷つけることなく、ＩＣタグシール12を覆う着脱自在のカバーとして機能するようになる。
【００６０】
そして、基板ケース50を筐体２に取り外した後、カバー部材60を被挟持部54, 55から引き抜くと、基板ケース50を開放することができる。
この際、被挟持部54, 55から引き抜かれる方向へカバー部材60の移動を開始すると、図１１（Ｂ）に示すように、カバー部材60と連動して、破断部材70のブレード部72が破断スタート位置αから移動を開始し、ブレード部72の刃先がタグ貼付面56A, 56Bに貼付されているＩＣタグシール12を切り裂き、ＩＣタグチップに接続されている無線アンテナを切断して破壊する。
【００６１】
（実施形態の効果）
前述のような本実施形態によれば、次のような効果が得られる。
すなわち、基板ケース50を形成するベース部52及び蓋部53のそれぞれの互いに対応する部分に一対の被挟持部54, 55を設け、且つ、これらの被挟持部54, 55を互いに組み合わせると箱状となるように形成するとともに、被挟持部54, 55の両方に跨るタグ貼付面56A, 56Bを設け、このタグ貼付面56A, 56BにＩＣタグシール12を貼付するようにし、さらに、これらの被挟持部54, 55をその両側から挟み込むとともに、被挟持部54, 55の表面全体を覆う板状に形成された一対の腕部61A, 61Bを有するカバー部材60を設けたので、被挟持部54, 55に設けられたタグ貼付面56A, 56BにＩＣタグシール12を貼り付け、この状態でカバー部材60を基板ケース50に取り付ければ、ＩＣタグシール12がカバー部材60の内部に密閉され、ＩＣタグシール12を基板ケース50から剥がす際に、カミソリ等の刃物を利用することができなくなるうえ、化学薬品をＩＣタグシール12に塗布することもできなくなり、従って、ＩＣタグシール12のＩＣチップ、無線アンテナ及び外観等にダメージを与えずに基板ケース50からＩＣタグシール12を剥がすことが不可能となる。
また、ベース部52及び蓋部53のそれぞれに設けた一対の被挟持部54, 55をカバー部材60の一対の腕部61A, 61Bで挟み込むようにしたので、カバー部材60の腕部61A, 61Bが一対の被挟持部54, 55を挟み込む閉鎖位置にカバー部材60が配置されると、基板ケース50は開けることができず、基板ケース50を開けるには、カバー部材60を閉鎖位置から引き抜く必要がある。
【００６２】
ここで、カバー部材60を被挟持部54, 55に向かって押し込んで基板ケース50の閉鎖位置に配置し、この状態で、カバー部材60に設けられたブレード挿通孔60A に破断部材70のブレード部72を差し込むと、ＩＣタグシール12を傷つけることなく、ブレード部72が破断スタート位置αに設置される。
この後、基板ケース50を開くために、閉鎖位置からカバー部材60を引き抜くと、カバー部材60の引き抜き動作に伴って、破断部材70のブレード部72がスリット58A, 58Bに沿って移動するので、移動するブレード部72によって、タグ貼付面56A, 56Bに貼付されているＩＣタグシール12を確実に破断することができる。
このため、基板ケース50の開放の際に、確実にＩＣタグシール12が破断され、剥がされたＩＣタグシール12の再利用を確実に不可能にすることができる。
【００６３】
さらに、ベース部52及び蓋部53を相互に結合するカシメ部材81及びカシメ受部82のうち、カシメ部材81については、その台座部81A の背面及び側面を金属製の保護カバー部材83で覆って保護し、蓋部53については、その側面を金属製の保護プレート85で覆って保護するようにしたので、基板ケース50の内部に設けられているＲＯＭ等を不正なものに交換する際に、ドリル等の穿孔工具を利用して、基板ケース50の側面や裏面から、カシメ部材81及びカシメ受部82を破壊しようとしても、金属製の保護カバー部材83及び保護プレート85に遮られ、カシメ部材81及びカシメ受部82の破壊が防止され、ひいては、ＲＯＭ等の不正交換を未然に防止することができる。
なお、基板ケース50の正面から内部のカシメ部材81及びカシメ受部82が破壊されるケースはまれである。というのは、基板ケース50の正面から内部のカシメ部材81及びカシメ受部82を破壊すると、基板ケース50の前面に形成される破壊の痕跡が目立ち、スロットマシン１の前扉３を開いた時点で不正行為が発見されるからである。
【００６４】
また、保護カバー部材83の保護側壁部83B, 83Cに凹部83D ,83Eを形成し、保護カバー部材83が背部に取り付けられた状態で、カシメ部材81をベース部52に取り付けると、その保護側壁部83B, 83Cに形成された凹部83D ,83Eが、突起挿通スリット84B の両側に形成された鍔部84C に係止されるようにしたので、カシメ部材81の背面と対向するベース部52の側壁が不正に切り取られ、保護カバー部材83の背面の大きさに相当する孔が開口されても、保護側壁部83B, 83Cの凹部83D ,83Eが、突起挿通スリット84B 両側の鍔部84C に係止され、保護カバー部材83を取り除くことができない。従って、カシメ部材81及びカシメ受部82を破壊するために、保護カバー部材83の背面に孔を開けても、保護カバー部材83を取り除くことができず、これにより、カシメ部材81及びカシメ受部82の破壊が防止され、ひいては、ＲＯＭ等の不正交換を未然に防止することができる。
【００６５】
［第２実施形態］
図１２〜図１６には、本発明の第２実施形態が示されている。
本第２実施形態は、前記第１実施形態における被挟持部54, 55の内部に全体が収納可能な短尺のブレード部72を、先端が被挟持部54, 55の外部に突き出てしまう長尺のブレード部74としたものである。
なお、以下の説明において、前記第１実施形態と同様の装置や部位等には、同一符号を付し、その説明を省略又は簡略する。
【００６６】
すなわち、本第２実施形態に係る基板ケース50には、図１２及び図１３に示すように、被挟持部54の厚さ寸法（図１３中前後方向の寸法）に応じた長さのブレード部74を有する破断部材70が設けられている。このブレード部74の先端には、ブレード部74の周面から突出するとともに平たい形状に形成されたフランジ部75が設けられている。
一方、被挟持部54に設けられているスリット58Aは、図１３及び図１４に示すように、被挟持部54を図１３中前後方向に貫通している。
また、被挟持部55における破断スタート位置αに相当する位置には、図１３及び図１４の如く、ブレード部74のフランジ部75を挿通させる挿通孔58C が貫通している。
そして、被挟持部54における被挟持部55側の挿通孔58C に対応した位置には、図１５に示すように、ブレード部74のフランジ部75を挿通させる挿通孔58D が貫通している。
【００６７】
この際、破断部材70は、図１６（Ａ）に示すように、カバー部材60が閉鎖位置に配置されている状態で、ブレード部74がブレード挿通孔60A に差し込まれると、被挟持部55側から進入したフランジ部75が被挟持部54の表面54A から突出するようになっている。
そして、破断部材70のフランジ部75は、閉鎖位置からカバー部材60が引き抜かれるのに伴って、図１６（Ｂ）に示すように、被挟持部54の表面54A に沿って摺動し、これにより、ブレード部74がＩＣタグシール12を破断する際に、カバー部材60の開口部62が広がるのを未然に防止するようになっている。
【００６８】
このような本第２実施形態によっても、前記第１実施形態と同様の作用効果を奏することができるうえ、次のような効果を付加できる。
すなわち、閉鎖位置からカバー部材60が引き抜かれるのに伴って、被挟持部54の表面54A に沿って摺動するフランジ部75を破断部材70に設けたブレード部74の先端に設けたので、ブレード部74でＩＣタグシール12を破断する際に、カバー部材60の開口部62が広がらなくなり、カバー部材60を移動させる力が無駄なくブレード部74に伝達され、ＩＣタグシール12を効率よく破断でき、より小さな力でＩＣタグシール12を破断できるという効果を付加することができる。
【００６９】
［第３実施形態］
図１７〜図２４には、本発明の第３実施形態が示されている。
本第３実施形態は、前記第１実施形態における左右の側部全体が開口されているカバー部材60を、左右の側部を部分的に閉塞する側壁部が形成されているカバー部材60B としたものである。
すなわち、第３実施形態に係る基板ケース50A は、図１７に示すように、前記第１実施形態における基板ケース50と同様に、主制御基板80を内部に収納するための箱状に形成された箱状部51A を備えたものである。
そして、箱状部51A は、外部から内部の視認が可能な透明合成樹脂製の部材であり、前記第１実施形態における箱状部51と同様に、二つの部品、具体的には、ベース部52A と蓋部53A とに分割可能となっている。
箱状部51A には、前記第１実施形態における箱状部51と同様に、ベース部52A 及び蓋部53A を相互に結合するカシメ部材81と、このカシメ部材81を保護するための保護カバー部材83及び保護プレート85とが設けられている。
【００７０】
ここで、主制御基板80には、基板ケース50A の外部との電気的な接続を行うために、後述するケーブル86B の端部に設けられた後述するコネクタプラグ86C を受けるコネクタであるリセプタクル86が設けられている。
そして、箱状部51A に設けられた蓋部53A には、リセプタクル86を挿通させる挿通口86A が開口されている。
また、箱状部51A には、ケーブル86B 及びコネクタプラグ86C 、並びに、リセプタクル86を覆うコネクタカバー87が、図示しないネジで取り付けられるようになっている。なお、コネクタカバー87のネジ取付部位は、後述する封止部材87A で封止されるようになっている。
【００７１】
このような基板ケース50A は、長方形状に形成された取付ブラケット30を介してスロットマシン１の筐体２の所定位置に取り付けるようになっている。
すなわち、基板ケース50A を取付ブラケット30に取り付けるために、円筒状に形成されたカシメ部材88A が基板ケース50A 及び取付ブラケット30の間に介装されるようになっている。
そして、基板ケース50A に設けられている蓋部53A の図１７中右方の端縁近傍には、筒状に形成あれたカシメ部材88A を受けるカシメ受部88が設けられている。
また、蓋部53A の図１７中左方の端縁には、取付ブラケット30側に係止される後述する係止突条89が設けられている。
【００７２】
一方、取付ブラケット30は、長方形状のほぼ全周に沿って立ち上がり部31が立設されたものである。
この取付ブラケット30には、基板ケース50A 側のカシメ受部88に対応して、カシメ部材88A が嵌合されるカシメ取付部32が設けられている。
また、取付ブラケット30における図１８中左方の端縁に沿った立ち上がり部31の根本には、基板ケース50A 側の係止突条89を係止する係止長孔33が設けられている。
このような取付ブラケット30には、前述の基板ケース50A に加えて、直方体状に形成されたスイッチボックス90が取り付けられるようになっている。
【００７３】
ところで、蓋部53A における図１７中前方を向いた前面53B と、取付ブラケット30に設けられた立ち上がり部31の頂部の端面30A とは、ほぼ同一の平面を形成している。
また、ベース部52A には、図１７の如く、蓋部53A 側へ突出した直方体状の膨出部52B が設けられている。そして、この膨出部52B における図１７中前方を向いた前面52C は、蓋部53A の前面53B と、取付ブラケット30側の端面30A とほぼ同一の平面を形成するものとなっている。
【００７４】
そして、膨出部52B の前面52C には、図１８に示すように、取付ブラケット30の端面30A とにまたがって、スロットマシン１を１台ずつ識別するための識別マーキング領域52D が設けられている。
この識別マーキング領域52D は、同機種の他のスロットマシン１との識別を行うために、数字及びアルファベット等の文字からなる識別コード、例えば、スロットマシン１のシリアル番号等レーザーマーキングで刻印される部位となっている。
【００７５】
また、膨出部52B の前面52C には、蓋部53A の前面53B とにまたがって、スロットマシンの製造販売者を示す複数種類のブランドのうち、ある特定のブランド（例えば、いわゆる「非加盟ブランド」）が記載されたブランド名シールが貼付されるブランド名シール貼付領域52E が設けられている。
さらに、膨出部52B の前面52C には、シール貼付領域52E の図８中左方に、スロットマシン１の型式名が記載された型式名シールが貼付される型式名シール貼付領域52F が設けられている。ただし、識別マーキング領域52D に刻印された識別コードでスロットマシン１の型式名が識別可能な場合は、型式名シール貼付領域52F への型式名シールの貼付を省略することができる。
なお、スイッチボックス90は、基板ケース50A の図１８中右側の端縁に隣接して取付ブラケット30に取り付けられている。
【００７６】
次に、カバー部材60B について説明する。
カバー部材60B は、前記第１実施形態におけるカバー部材60と同様に、被挟持部54, 55に設けられたタグ貼付面56A, 56Bと、このタグ貼付面56A, 56Bに貼付されたＩＣタグシール12を覆って保護するものである。
ここで、蓋部53A には、一対の側壁部60E がそれぞれ被挟持部54, 55の左右の側面に近接して設けられている。
これにより、カバー部材60B で被挟持部54, 55の全体を覆うと、カバー部材60B の左右両側の側縁部分が蓋部53A の側壁部60E に近接し、カバー部材60B と蓋部53A の側壁部60E との間に隙間が形成されても、この隙間から針金状の器具を挿入することが困難となるように、当該隙間の間隔が極めて小さくなるように形成されている。
【００７７】
また、カバー部材60B は、図１９中、左右に側部に形成された開口である開口部60C と、これらの開口部60C のそれぞれを部分的に閉塞する側壁部60D とが形成されてたものとなっている。
そして、蓋部53A には、カバー部材60B の開口部60C の形状に応じるとともに、開口部60C の内縁部に密着する形状の図示しない閉塞部が形成されている。
これにより、基板ケース50A は、万が一、カバー部材60B と蓋部53A の側壁部60E との間に隙間から、針金状の器具が挿入されても、カバー部材60B の開口部60C が蓋部53A の閉塞部で塞がれ、当該針金状の器具が、タグ貼付面56A, 56BやＩＣタグシール12に接触すること、及び、被挟持部54, 55の内部に到達することがないように形成されている。
【００７８】
ここで、カシメ部材88A 、蓋部53A のカシメ受部88、及び、取付ブラケット30のカシメ取付部32について簡単に説明する。
カシメ部材88A は、図２０に示すように、円筒状に形成された筒状本体88B を有するものとなっている。
カシメ部材88A の筒状本体の外周面には、特に図示しないが、前述したカシメ部材81と同様の爪部81F が突設されている。そして、カシメ部材88A には、筒状本体の軸方向の中心位置を挟んで、その両側にそれぞれ爪部81F が形成されている。
【００７９】
一方、蓋部53A のカシメ受部88には、図２０の如く、円筒状の凹みとして形成された第１カシメ受部88C 及び第２カシメ受部88D が形成されている。
取付ブラケット30には、カシメ取付部32として、蓋部53A 側の第１カシメ受部88B 及び第２カシメ受部88C に対応した第１カシメ取付部32A 及び第２カシメ取付部32B が形成されている。
第１カシメ受部88C 及び第２カシメ受部88D 並びに第１カシメ取付部32A 及び第２カシメ取付部32B のそれぞれには、カシメ部材88A 側の爪部81F を係止するために、その内周面に、特に図示しないが、前述したカシメ受部82と同様の段部82D が形成されたのもとなっている。
【００８０】
第１カシメ受部88C 及び第１カシメ取付部32A は、最初（第１回目）に基板ケース50A を取付ブラケット30に取り付ける際に、カシメ部材88A が嵌め込まれ、最初に基板ケース50A を取付ブラケット30から取り外す際に、カシメ部材88A とともに破壊されるものとなっている。
そして、第２カシメ受部88D 及び第２カシメ取付部32B は、２回目に基板ケース50A を取付ブラケット30に取り付ける際に、カシメ部材88A が嵌め込まれ、２回目に基板ケース50A を取付ブラケット30から取り外す際に、カシメ部材88A とともに破壊されるものとなっている。
なお、第１回目の取り付けに、第２カシメ受部88D 及び第２カシメ取付部32B を利用し、第２回目の取り付けに、第１カシメ受部88C 及び第１カシメ取付部32A を利用することもできる。
【００８１】
ここで、蓋部53A のカシメ受部88には、基板ケース50A が取付ブラケット30に取り付けられた状態で、第１カシメ受部88C 及び第１カシメ取付部32A と、第２カシメ受部88D 及び第２カシメ取付部32B とを仕切る仕切壁88E が設けられている。  
これにより、基板ケース50A は、取付ブラケット30から取り外す際に、第１カシメ受部88C 及び第１カシメ取付部32A が破壊され、蓋部53A のカシメ受部88の部分に孔が開いても、カシメ受部88の内部が仕切壁88E で仕切られているので、その後、第２カシメ受部88D 及び第２カシメ取付部32B で基板ケース50A を取付ブラケット30から取り付けた際に、孔を通じて、第２カシメ受部88D 及び第２カシメ取付部32B の内部を操作することができず、当該孔を利用した不正行為が行えないようになっている。
【００８２】
続いて、主制御基板80に設けられたリセプタクル86を覆うコネクタカバー87について説明する。
図１８に戻って、コネクタカバー87は、図１８の如く、正面形状が略「Ｔ」字形に形成されたものである。
コネクタカバー87の「Ｔ」字の横棒部分における一方の端部近傍には、前述の封止部材87A を収納する封止部材収納穴87B が形成されている。
封止部材87A は、図２１の如く、一端が閉鎖されるとともに他端が開放された筒状の筒状本体87C を有するものとなっている。
筒状本体87C の閉鎖された一端近傍には、その外周面から径方向外側へ突出する鍔部87D が設けられている。また、筒状本体87C の外周面には、前述したカシメ部材81と同様の爪部87E が突設されている。
【００８３】
コネクタカバー87の封止部材収納穴87B は、図２２に示すように、コネクタカバー87を蓋部53A に取り付けるための図示しないネジを挿通させるネジ挿通孔87F が、その底部に形成されたものとなっている。
また、コネクタカバー87の「Ｔ」字の横棒部分における他方の内部には、図２２の如く、コネクタカバー87の内面から蓋部53A の表面に向かって突出する複数の通過阻止突起87G が設けられている。
【００８４】
一方、蓋部53A の表面には、図２２の如く、コネクタカバー87側の通過阻止突起87G に対向する位置に形成されるとともに、図２１の如く、内部にケーブル86B が挿通される一対のケーブル押さえ部86D が突設されている。
これら一対のケーブル押さえ部86D は、図２１の如く、それぞれがケーブル86B の挿通方向と交差する断面形状が略「Ｌ」字形状とされ、互いの間に隙間が形成されるように対向配置され、当該隙間を通じて、その内部にケーブル86B が容易に導入できるように形成されたものとなっている。
【００８５】
以上において、当該基板ケース50A の外部に引き抜く方向の力がケーブル86B に加わった際に、コネクタプラグ86C が通過阻止突起87G 及びケーブル押さえ部86D によって係止され、ケーブル86B のみが基板ケース50A から引き抜かれ、コネクタプラグ86C がコネクタプラグ86C に嵌合したまま、コネクタカバー87の内部に残るようになっている。
これにより、基板ケース50A は、ケーブル86B を基板ケース50A から引き抜くと、その後において、リセプタクル86に、再度、電気的な接続を行うことが困難となるようになっている。
【００８６】
次に、図１９に戻って、取付ブラケット30側の係止長孔33に係止される蓋部53A の係止突条89について説明する。
蓋部53A の図１９中左方の端面には、図１９の如く、取付ブラケット30側の係止長孔33に対応した位置に係止突条89が突設されている。
また、蓋部53A の図１９中左方の端面には、図１９中、係止突条89よりも前方の位置から係止突条89と同じ方向へ突出する庇状の保護鍔部89A が設けられている。
基板ケース50A の係止突条89は、取付ブラケット30に取り付けられると、図２２に示すように、保護鍔部89A と取付ブラケット30側の立ち上がり部31とが形成する閉鎖空間の内部に隠蔽されるようになっている。
これにより、基板ケース50A は、取付ブラケット30に取り付けられると、係止突条89が隠蔽され、刃物等で係止突条89を基板ケース50A から切り離すことができず、第三者が無断で取付ブラケット30から取り外せないようになっている。
【００８７】
続いて、基板ケース50A に隣接して取付ブラケット30に取り付けられるスイッチボックス90について説明する。
スイッチボックス90は、図２３に示すように、スロットマシン１の設定操作を行うキースイッチ91と、スロットマシン１のリセット操作を行うリセットスイッチ92と、後述する扉部材95の開閉を検知するリミットスイッチ93とを備えたものである。
このスイッチボックス90には、図２３の如く、略直方体の箱状に形成された箱部材94と、箱部材94の図２３中前方の面（以下「前面94A 」という。）を覆う扉部材95と、キースイッチ91及びキースイッチ92等を支持する支持板96とが設けられている。
【００８８】
箱部材94の前面94A には、図２３の如く、キースイッチ91の鍵穴91A 、リセットスイッチ92の押しボタン92A 、及び、リミットスイッチ93の検知ボタン93A の各々を露出させる露出口94B〜94Dが設けられている。なお、露出口94B〜94Dのそれぞれは、露出させるキースイッチ91、リセットスイッチ92及びリミットスイッチ93のそれぞれが挿通不可能な大きさとなっている。
また、箱部材94は、前面94A の図２３中に右側に配置された側縁の上端部分及び下端部分に設けられるとともに、扉部材95を回動自在に支持する支持軸94E と、支持軸94E に支持された扉部材95を閉鎖方向に付勢するトーションバネ97と、扉部材95を係止して、当該扉部材95を閉鎖状態に維持する爪部94F とを備えている。
【００８９】
扉部材95は、箱部材94側の支持軸94E を受ける軸受として、支持軸94E の軸方向と直行する断面が略「Ｃ」形の開放軸受95A が、図２３中に右側に配置された側縁の上端部分及び下端部分に設けられたものとなっている。この断面が略「Ｃ」形の開放軸受95A によって、扉部材95は、箱部材94に着脱可能となっている。
また、扉部材95は、箱部材94側の爪部94F に対応して、爪部94F を挿通させるとともに、その縁に爪部94F を係止させる爪挿通口95B が設けられている。
このような扉部材95は、爪挿通口95B の縁に爪部94F が係止された状態では、開放不可能となっている。一方、扉部材95は、指等で爪部94F を押して撓ませ、爪挿通口95B の縁による係止を解除し、さらに、トーションバネ97の弾性力に抗して、当該扉部材95を手前に引くことによって開くことが可能となっている。
【００９０】
支持板96は、キースイッチ91、リセットスイッチ92及びリミットスイッチ93のそれぞれが取り付けられる取付口96A〜96Cが形成されたものである。換言すると、キースイッチ91、リセットスイッチ92及びリミットスイッチ93は、支持板96に形成された取付口96A〜96Cのそれぞれに挿通された状態で、当該支持板96に固定されている。
例えば、キースイッチ91は、図２４に示すように、支持板96に取り付けられた状態で、箱部材94の背面に形成された開口から、支持板96とともに箱部材94の内部に入れられ、支持板96が箱部材94に固定されることで、箱部材94に固定されるようになっている。
【００９１】
これにより、キースイッチ91と箱部材94の前面94A との間には、隙間が形成されないようになっており、箱部材94の前面94A 側から針金状の器具をキースイッチ91の接続端子等まで到達させることが不可能となっている。
また、露出口94B がキースイッチ91を挿通不可能な大きさとなっているので、キースイッチ91は、箱部材94の前面94A 側から取り外すことが不可能となっている。
リセットスイッチ92及びリミットスイッチ93についても、キースイッチ91と同様に、箱部材94の前面94A との間に隙間が形成されないようになっており、また、露出口94C, 94Dがキースイッチ91を挿通不可能な大きさとなっているので、箱部材94の前面94A 側から針金状の器具を、その接続端子等まで到達させること、及び、箱部材94の前面94A 側から取り外すことの両方が不可能となっている。
【００９２】
さらに、箱部材94の内部に設けられたキースイッチ91、リセットスイッチ92及びリミットスイッチ93には、その電気信号を外部に取り出すための図示しないケーブルが接続されている。
そして、箱部材94には、キースイッチ91、リセットスイッチ92及びリミットスイッチ93の電気信号を外部に取り出すための図示しないケーブルを挿通させて、スイッチボックス90の外部に導くケーブル挿通口98が設けられている。
このケーブル挿通口98は、図２１に示すように、箱部材94における図２１中左側の側壁に開口されている。ケーブル挿通口98を通ってスイッチボックス90の外部に出た図示しないケーブルは、基板ケース50A に形成された図示しないケーブル挿通口を通って、基板ケース50A の内部に到達するようになっている。
このような本第３実施形態によっても、前記第１及び第２実施形態と同様の作用効果を奏することができる。
【００９３】
なお、本発明は、前記実施形態に限定されるものではなく、本発明の目的を達成できる範囲における変形及び改良などをも含むものである。
例えば、前記実施形態では、保護カバー部材83の保護側壁部83B, 83Cの両方に突出部83J, 83Kを設け、これらの突出部83J, 83Kの両方に凹部83D, 83Eを形成したが、これに限らず、保護側壁部83B, 83Cの一方のみに突出部を一つ設け、一つ設けた突出部にだけ凹部を形成してもよく、あるいは、図２５に示すように、保護カバー部材83の保護側壁部83B, 83Cの一方である保護側壁部83C の幅を縮小するとともに、保護側壁部83B, 83Cの両方に突出部83J, 83Lを設け、これらの突出部83J, 83Lのうち、その一方である突出部83J のみに凹部83D を形成してもよい。
【００９４】
また、前記実施形態では、保護プレート85の切り欠き部85A の先端両側の部分を筒状の外側へ僅かに折り曲げられ、これにより、保護壁部82A の内部に入れた保護プレート85を
保護壁部82A の内側面との摩擦力で係止し、保護壁部82A 内の保護プレート85が保護壁部82A から脱落しないようにしたが、図２６（Ａ）に示すように、保護プレート85側に切り欠き部85A を設けるとともに、図２６（Ｂ）に示すように、保護プレート85側の切り欠き部85A に対応して、保護壁部82A の内面に係止リブ82F を突設し、保護壁部82A の内部に保護プレート85を入れると、保護プレート85側の切り欠き部85A の内部に、保護壁部82A 側の係止リブ82F がは入り込み、切り欠き部85A の内面と係止リブ82F の表面との間に発生する摩擦力で保護プレート85を保護壁部82A の内部に係止するようにしてもよい。。
なお、本発明は、スロットマシンに限らず、パチンコ機等の弾球遊技機にも適用でき、要するに、マイクロプロセッサからなるＣＰＵを内部に収納している基板ケースを備えた遊技機全般に適用できる。
【符号の説明】
【００９５】
1    遊技機としてのスロットマシン
12    ＩＣタグシール
50    基板ケース
52    ベース部
53    蓋部
80    制御基板としての主制御基板
81    カシメ部材
81A   台座部
81B   筒状突起部
81C   肩部
81F   爪部
81G   基部面
82    カシメ受部
82A   保護壁部
82B   筒状受部
82D   段部
82E   底板部
83    保護カバー部材
83B,83C,83G,83H   保護側壁部
83D,83E   凹部
83F   保護底板部
83J,83K   突出部
84    カシメ取付部
84A   台座部挿通口
84B   突起挿通スリット
84C   鍔部
85    保護プレート
85B   保護側板部
【図１】
2012075880.tif 000003
【図２】
2012075880.tif 000004
【図３】
2012075880.tif 000005
【図４】
2012075880.tif 000006
【図５】
2012075880.tif 000007
【図６】
2012075880.tif 000008
【図７】
2012075880.tif 000009
【図８】
2012075880.tif 000010
【図９】
2012075880.tif 000011
【図１０】
2012075880.tif 000012
【図１１】
2012075880.tif 000013
【図１２】
2012075880.tif 000014
【図１３】
2012075880.tif 000015
【図１４】
2012075880.tif 000016
【図１５】
2012075880.tif 000017
【図１６】
2012075880.tif 000018
【図１７】
2012075880.tif 000019
【図１８】
2012075880.tif 000020
【図１９】
2012075880.tif 000021
【図２０】
2012075880.tif 000022
【図２１】
2012075880.tif 000023
【図２２】
2012075880.tif 000024
【図２３】
2012075880.tif 000025
【図２４】
2012075880.tif 000026
【図２５】
2012075880.tif 000027
【図２６】
2012075880.tif 000028